(57)【要約】【課題】  簡単な操作でかつ安全な方法で機器の遠隔制御を行うことを可能とする、遠隔機器制御可能なデジタル電話システムを提供する。【解決手段】  ＩＰ電話機１００からプログラマブルキーに予め登録されている機器制御コマンドを機器制御装置２００へ送信すると、機器制御装置２００は、該ＩＰ電話機１００が予め許可リストに登録されているか否か、および他のＩＰ電話機からの機器制御コマンドとの競合の有無をチェックし、条件ＯＫであれば該機器制御コマンドを遠隔制御可能な機器３０１〜３０３に送信する。【選択図】図１
2008042308.tif 000002
【特許請求の範囲】
【請求項１】
１以上のデジタル電話機と前記デジタル電話機と接続される機器制御装置と前記機器制御装置に繋がる遠隔制御可能な機器から成る遠隔機器制御システムであって、
前記デジタル電話機は、
所定の機器制御コマンドと前記機器制御コマンドの送出先を所定の操作に対応して予め登録する機器制御コマンド送出手段を具備し、
前記機器制御装置は、
前記デジタル電話機から前記機器制御コマンドを受信する機器制御コマンド受信手段と、前記機器制御コマンド又は前記機器制御コマンドの発信元アドレスを分析し前記機器制御コマンドを送出した前記デジタル電話機が予め登録されている許可リストに存在するか否かを判定する機器制御可否判定手段を具備し、前記デジタル電話機から所定の機器制御コマンドを受信し前記機器制御可否判定手段が前記デジタル電話機は前記許可リストに存在すると判定した場合、前記機器制御コマンドに応じて前記遠隔制御可能な機器を制御することを特徴とする遠隔機器制御機能を有するデジタル電話システム。
【請求項２】
請求項１において、前記デジタル電話機は、
当該デジタル電話機の使用者の在席情報を前記機器制御装置へ通知するプレゼンス情報通知手段を具備し、
前記機器制御装置は、
前記プレゼンス情報を受信するプレゼンス情報受信手段を具備し、全て又は一部のデジタル電話機からのプレゼンス情報を収集し、予め登録された条件に従って所定の遠隔制御可能な機器の電源を自動的にオフすることを特徴とする遠隔機器制御機能を有するデジタル電話システム。
【発明の詳細な説明】
【技術分野】
【０００１】
本発明は、遠隔機器制御を可能とするデジタル電話システムに関するものである。
【背景技術】
【０００２】
空調や照明などの機器は、リモコンや壁に備え付けられるスイッチ等を利用して、制御することができるが、部屋内に多くの人が居る場合はリモコンを手元に置いておくことができない。また、広い建物内などでスイッチのある壁が遠い場合、その都度席を立ってスイッチ操作するのは面倒で大変である。
【０００３】
上記に対して、公衆電話回線網を用いて電話機から電話番号発信することによって、エアコンの遠隔制御を実現する技術がある（特許文献１）。しかしながら、この方法では制御を行う毎に電話番号を入力しなければならず面倒である。また、公衆電話回線網を用いているために、悪意のある者から不正操作される可能性があるという欠点がある。
【特許文献１】特開2004-135266号公報
【発明の開示】
【発明が解決しようとする課題】
【０００４】
本発明の課題は、簡単な操作でかつ安全な方法で機器の遠隔制御を行うことを可能とする、遠隔機器制御可能なデジタル電話システムを提供することにある。
【課題を解決するための手段】
【０００５】
第１の発明は、１以上のデジタル電話機と前記デジタル電話機と接続される機器制御装置と前記機器制御装置に繋がる遠隔制御可能な機器から成る遠隔機器制御システムであって、前記デジタル電話機は、所定の機器制御コマンドと前記機器制御コマンドの送出先を所定の操作に対応して予め登録する機器制御コマンド送出手段を具備し、前記機器制御装置は、前記デジタル電話機から前記機器制御コマンドを受信する機器制御コマンド受信手段と、前記機器制御コマンド又は前記機器制御コマンドの発信元アドレスを分析し前記機器制御コマンドを送出した前記デジタル電話機が予め登録されている許可リストに存在するか否かを判定する機器制御可否判定手段を具備し、前記デジタル電話機から所定の機器制御コマンドを受信し前記機器制御可否判定手段が前記デジタル電話機は前記許可リストに存在すると判定した場合、前記機器制御コマンドに応じて前記遠隔制御可能な機器を制御することを特徴とする。
【０００６】
第２の発明は、第１の発明において、前記デジタル電話機は当該デジタル電話機の使用者の在席情報を前記機器制御装置へ通知するプレゼンス情報通知手段を具備し、前記機器制御装置は、前記プレゼンス情報を受信するプレゼンス情報受信手段を具備し、全て又は一部のデジタル電話機からのプレゼンス情報を収集し、予め登録された条件に従って所定の遠隔制御可能な機器の電源を自動的にオフすることを特徴とする。
【発明の効果】
【０００７】
例えば、広いオフィス内において、専用のコントローラを用意せずに、各個人のデスク上の電話機からエアコン等の機器の遠隔制御をワンタッチで簡素に行うことが可能となる。
【発明を実施するための最良の形態】
【０００８】
以下、デジタル電話機としてＩＰ（Internet Protocol）電話機を例に図を使用して説明する。
【０００９】
図１は、本発明に係わる遠隔機器制御システムの実施例の全体構成図であって、ＩＰ電話機１００と、ＩＰ電話機の呼を管理および制御する呼制御サーバ４００と、ＬＡＮ５００を介して前記ＩＰ電話機と接続される機器制御装置２００と、前記機器制御装置２００に繋がる遠隔制御可能な機器、例えばエアコン３０１、電気錠３０２、照明器具３０３から構成される。
【００１０】
ここで、ＬＡＮ５００は事業所や家庭内のＬＡＮ（Local Area Network）であって、ＩＥＥＥ８０２．３等の規格準拠した有線配線によるＬＡＮや、ＩＥＥＥ８０２．１１ａ／ｂ／ｇ等の規格に準拠した無線ＬＡＮが適用できる。
【００１１】
また、機器制御装置２００と呼制御サーバ４００は一体として構成してもよい。
【００１２】
図２はＩＰ電話機１００の外観図であって、１０１はハンドセット、１０２はディスプレイ、１０３はプログラマブルキー、１０４はプレゼンス変更キー、１０５はダイヤルキー、１０６はメニュー選択の方向キーである。
【００１３】
ここでプログラマブルキー１０３は通常のワンタッチダイヤル登録が可能であると共に、後述する遠隔制御コマンドの登録が可能である。
【００１４】
また、プレゼンス変更キー１０４は在／不在を表すプレゼンス情報を変更するキーであり、例えば、離席または外出時に押下して、在から不在になったことを所定の宛先に通知する。
【００１５】
図３はＩＰ電話機１００の機能ブロック図であって、１１０は音声拡声用のスピーカ、１１１はハンドセット（送受話器）、１１２は音声回線接続部、１１３は音声通信制御部、１１４はＬＡＮ接続部、１１５は機器制御コマンド送信部、１１６はプレゼンス情報送信部、１１７はＬＥＤ表示部、１１８はＬＣＤ表示部、１１９は表示制御部、１２０はシステム全体の制御を行う制御部、１２１は電源、１２２は各種キー入力を行う操作部、１２３は各種データを記憶するメモリ部である。
【００１６】
ここで、操作部１２２にある特定のプログラマブルキー１０３が押下されると、制御部１２０はメモリ部１２３に予め登録して記憶されている機器制御コマンドを、機器制御コマンド送信部１１５、ＬＡＮ接続部１１４，ＬＡＮ５００を介して機器制御装置２００へ送信する。
【００１７】
また、プレゼンス情報送信部１１６は、操作部１２２にあるプレゼンス変更キー１０４が押下されて在／不在の状態が変化する毎に、ＬＡＮ接続部１１４，ＬＡＮ５００を介して機器制御装置２００へプレゼンスデータを送信する。
【００１８】
図４は機器制御装置２００の機能ブロック図であって、２１４はＬＡＮ接続部、２１５はＩＰ電話機１００からの機器制御コマンド受信部、２１６はＩＰ電話機１００からのプレゼンス情報受信部、２２０はシステム全体の制御を行う制御部、２２１は電源、２２３は遠隔制御可能な機器３０１〜３０３との機器制御コマンド送受信部、２２４はプレゼンス情報蓄積部、２２５は許可リスト情報蓄積部、２２６は機器接続部、２２７は応答コマンド送信部である。
【００１９】
ここで、ＩＰ電話機１００からの機器制御コマンドを受信すると、制御部２２０は機器制御コマンド受信部２１５が受信したコマンドおよび送信元のアドレスを解析して、許可リスト情報蓄積部２２５に登録されている相手か否かを判断し、許可リストに登録されていると判断すると、機器制御コマンド送受信部２２３，機器接続部２２６を介して、遠隔制御可能な機器３０１〜３０３の何れかに機器制御コマンドを送信する。
【００２０】
また、ＩＰ電話機１００からのプレゼンス情報を受信すると、制御部２２０はプレゼンス情報受信部２１６が受信したプレゼンス情報をプレゼンス情報蓄積部２２４に蓄積し、さらに収集したプレゼンス情報が予め登録されている条件に一致した場合、所定の遠隔制御可能な機器３０１〜３０３を自動的にオフする。
【００２１】
ここで、予め登録されている条件とは、例えば、オフィスにおいてエアコン３０１や照明器具３０３等がグループ単位に設置されていて、グループのメンバが全員不在になった場合であり、当該グループに対応した照明器具やエアコン等を自動オフする。
【００２２】
図５は遠隔制御可能な機器３０１〜３０３の機能ブロック図であって、３１４は機器制御装置接続部、３１５は機器制御コマンド受信部、３１６は機器固有の機能部、３１７は機器全体を制御する制御部、３１８は電源である。
【００２３】
ここで、機器制御装置接続部３１４を介して機器制御コマンド受信部３１５が機器制御装置２００からの機器制御コマンドを受信すると、制御部３１７は前記機器制御コマンドに従って機器固有の機能部３１６を制御する。
【００２４】
なお、機器制御装置接続部３１４は、例えば日本電機工業会が規格化しているホームオートメーション用のＨＡ端子であり、機器制御コマンドによりエアコン３００、電気錠３０１、照明器具３０２のオンオフ制御等が可能である。
【００２５】
次に本実施例における動作フローを図６〜図９により説明する。
【００２６】
図６はＩＰ電話機１００の動作フローチャートであり、ＩＰ電話機１００のプログラマブルキー１０３に、予め遠隔制御可能な機器３０１〜３０３を制御する機器制御コマンド送出機能が設定されているものとする。
【００２７】
使用者がＩＰ電話機１００のプログラマブルキー１０３を押下すると操作部１２２より制御部１２０にキー情報が入力し（Ｓ１０１）、キー情報が機器制御コマンドであった場合（Ｓ１０２、Ｙｅｓ）、オン，オフ等の機器制御に必要な制御パラメータの入力を待ち、パラメータ入力があった場合（Ｓ１０４、Ｙｅｓ）、制御部１２０は機器制御コマンドを生成し（Ｓ１０５）、機器制御コマンド送信部１１５は生成した機器制御コマンドを機器制御装置２００へ送信する。
【００２８】
機器制御コマンドを機器制御装置２００へ送信した後、機器制御装置２００からの応答コマンドを待ち、応答コマンド受信部１２４が応答コマンドを受信すると（Ｓ１０７、Ｙｅｓ）、制御部は応答コマンドの内容に従って、「ご指定の機器のスイッチを入れました」や「他の電話機と競合して制御失敗でした」等の応答内容をＬＣＤ表示部１１８に表示し（Ｓ１０８）、同様のガイダンスをスピーカ１１０から送出し（図示せず）、処理終了する。Ｓ１０７で応答コマンドの受信がない場合はタイムアウト（Ｓ１０９）を待って、「機器制御失敗」を表示する等（図示せず）して処理終了となる。
【００２９】
図７は機器制御装置２００の動作フローチャートである。機器制御コマンド受信部２１５がＩＰ電話機１００からの機器制御コマンドを受信すると（Ｓ２０１）、制御部２２０は他のＩＰ電話機からコマンド送信されていないかをチェックする（Ｓ２０３）。
【００３０】
ここで、複数のＩＰ電話機から、同一の遠隔制御可能な機器３０１〜３０３に対して機器制御コマンドが送信された場合は早い者勝ちであり、機器制御コマンド送信が２番目以降であった場合（Ｓ２０３、Ｙｅｓ）、機器制御装置２００はコマンド送信元のＩＰ電話機１００に、遠隔制御可能な機器がビジー状態であり現在遠隔制御コマンドを受け付けることができない状態であることを伝えるメッセージを応答コマンドとして送信する（Ｓ２０２）。なお、競合した２番目以降の機器制御コマンドは破棄される（図示せず）。
【００３１】
他のＩＰ電話機からのコマンド送信がない場合（Ｓ２０３、Ｎｏ）、制御部２２０は受信した制御コマンドを分析して、例えば、送信元のＩＰ電話機１００のＩＰアドレスが許可リスト情報蓄積部２２５に登録されているか照合する（Ｓ２０４）。許可リスト情報蓄積部２２５に登録されている場合（Ｓ２０５、Ｙｅｓ）、制御部２２０は受信した機器制御コマンドを機器制御送受信部２２３，機器接続部２２６を介して、所定の遠隔制御可能な機器へ送信し（Ｓ２０６）、送信元のＩＰ電話機１００へは応答コマンドを送信する（Ｓ２０８）。
【００３２】
Ｓ２０５において、許可リスト情報蓄積部２２５に登録されていない場合（Ｓ２０５、Ｎｏ）、送信元のＩＰ電話機が遠隔制御を許可されていないことを伝えるメッセージを応答コマンドとして送信する（Ｓ２０７）。
【００３３】
次にデジタル電話機のプレゼンス（在／不在）情報による遠隔制御可能な機器の電源自動オフ機能について説明する。
【００３４】
図８は本機能に係わるＩＰ電話機の動作フローチャートである。ＩＰ電話機１００のプレゼンス変更キー１０４が押下されると（Ｓ１２１、Ｙｅｓ）、制御部１２０はＬＣＤ表示部１１８の在／不在の表示を、在から不在、または不在から在へ反転し（Ｓ１２２）、プレゼンス情報の送信タイミングか否かを判定し、送信タイミングでなければ（Ｓ１２３、Ｎｏ）、Ｓ１２１に戻る。
【００３５】
プレゼンス情報の送信タイミングになると（Ｓ１２３、Ｙｅｓ）、その時点のプレゼンス情報をプレゼンス情報送信部１１６およびＬＡＮ接続部１１４を介して機器制御装置２００へ送信する。
【００３６】
ここでプレゼンス情報の送信タイミングは、定期的であってもよいし、在／不在が変更される毎や、遠隔機器制御装置２００からプレゼンス情報通知要求を受信した毎でもよい。
【００３７】
図９は機器制御装置２００におけるプレゼンス情報による電源自動オフの動作フローチャートであり、機器制御装置２００は各ＩＰ電話機１００に対しプレゼンス情報送信要求を一定時間（例えば１０分）毎に行うものとし、プレゼンス情報送信要求を各ＩＰ電話機１００に送信した所から本フローはスタートする。
【００３８】
機器制御装置２００は各ＩＰ電話機１００からプレゼンス情報を受信し（Ｓ３０１）、プレゼンス情報蓄積部２２４に蓄積されている各ＩＰ電話機１００のプレゼンス情報を更新する(Ｓ３０２)。
【００３９】
なお、プレゼンス情報送信要求後、特定のＩＰ電話機１００からプレゼンス情報が得られなかった場合、当該ＩＰ電話機１００は呼制御サーバ４００に登録されていない等の現在使用できない状態であると判断し、当該ＩＰ電話機のプレゼンス情報を不在としてプレゼンス情報蓄積部２２４のプレゼンス情報を更新する。
【００４０】
機器制御装置２００は、収集した各ＩＰ電話機１００のプレゼンス情報が予め登録されている条件に一致した場合、所定の遠隔制御可能な機器３０１〜３０３へ電源オフコマンドを送信する（Ｓ３０４）。
【００４１】
これにより、例えば、オフィスにおいて残業していて、他のグループのメンバが徐々に帰宅する場合、全員不在となるグループ毎に、対応するエアコン３０１や照明器具３０３が自動的にオフされるので、手間がかからないと共に切り忘れを防止でき、電力消費を節約できる効果がある。
【００４２】
以上、ＩＰ電話機１００および機器制御装置２００による実施例について説明したが、本発明はこれに限るものではない。すなわち、機器制御装置２００に繋がる電話機は、デジタル内線電話機であってもよい。さらにモデムによりデジタルコマンドの送受信機能があれば、または電話システムに特定ダイヤル機能（例えば、＃を押せば特定の信号を送出する機能）が具備されていれば、アナログ内線電話機であってもよい。
【００４３】
また、実施例においては呼制御サーバ４００がＬＡＮ５００に接続されているが、これはＩＰ−ＰＢＸであってもよく、電話機側に呼制御機能が内蔵されていれば呼制御サーバ４００は無くてもよい。
【００４４】
また、機器制御装置２００は、サーバ４００、ゲートウェイ（図示せず）、各遠隔制御可能な機器３０１〜３０３のいずれかに内蔵される形態であってもよい。
【００４５】
さらにＬＡＮ５００は広域のＷＡＮであってもよく、屋外の機器から機器制御装置２００に機器制御コマンドを送信することも可能である。
【図面の簡単な説明】
【００４６】
【図１】本発明の実施例の全体構成図。
【図２】ＩＰ電話機１００の外観図。
【図３】ＩＰ電話機１００の機能ブロック図。
【図４】機器制御装置２００の機能ブロック図。
【図５】遠隔制御可能な機器３０１〜３０３の機能ブロック図。
【図６】ＩＰ電話機１００の動作フローチャート。
【図７】機器制御装置２００の動作フローチャート。
【図８】ＩＰ電話機１００におけるプレゼンス情報送信フローチャート。
【図９】機器制御装置２００におけるプレゼンス情報による電源自動オフフローチャート。
【符号の説明】
【００４７】
１００・・・ＩＰ電話機、１０１・・・ハンドセット、１０２・・・ディスプレイ、１０３・・・プログラマブルキー、１０４・・・プレゼンス変更キー、１０５・・・ダイヤルキー、１０６はメニュー選択の方向キー１１０・・・スピーカ、１１１・・・ハンドセット、１１２・・・音声回線接続部、１１３・・・音声通信制御部、１１４・・・ＬＡＮ接続部、１１５・・・機器制御コマンド送信部、１１６・・・プレゼンス情報送信部、１１７・・・ＬＥＤ表示部、１１８・・・ＬＣＤ表示部、１１９・・・表示制御部、１２０・・・制御部、１２１・・・電源、１２２・・・操作部、１２３・・・メモリ部、１２４・・・応答コマンド受信部、２００・・・機器制御装置、２１４・・・ＬＡＮ接続部、２１５・・・機器制御コマンド受信部、２１６・・・プレゼンス情報受信部、２２０・・・制御部、２２１・・・電源、２２３・・・機器制御コマンド送受信部、２２４・・・プレゼンス情報蓄積部、２２５・・・許可リスト情報蓄積部、２２６・・・機器接続部、２２７・・・応答コマンド送信部、３０１・・・エアコン、３０２・・・電気錠、３０３・・・照明器具、３１４・・・機器制御装置接続部、３１５・・・機器制御コマンド受信部、３１６・・・機器固有の機能部、３１７・・・制御部、３１８・・・電源、４００・・・呼制御サーバ、５００・・・ＬＡＮ。
【図１】
2008042308.tif 000003
【図２】
2008042308.tif 000004
【図３】
2008042308.tif 000005
【図４】
2008042308.tif 000006
【図５】
2008042308.tif 000007
【図６】
2008042308.tif 000008
【図７】
2008042308.tif 000009
【図８】
2008042308.tif 000010
【図９】
2008042308.tif 000011